(57)【特許請求の範囲】
【請求項１】
画像処理装置の原稿読み取り手段により原稿を読み取るスキャンジョブについてのジョブ設定画面を表示する表示手段と、前記ジョブ設定画面で設定されたジョブ設定情報及び前記画像処理装置にログインするためのログイン情報を含むジョブ実行指示を、前記画像処理装置に送信する送信手段と、を備えた携帯端末装置と接続可能な前記画像処理装置であって、
前記原稿読み取り手段と、
前記原稿読み取り手段により読み取られる原稿が原稿載置部にセットされているかどうかを判定する原稿セット判定手段と、
前記携帯端末装置からの前記ジョブ実行指示を受信する受信手段と、
前記原稿セット判定手段により原稿がセットされていると判定された後に、前記原稿が、前記受信手段により受信された前記ジョブ実行指示に含まれる前記ログイン情報に基づいて自装置にログインした前記携帯端末装置のユーザーの原稿かどうかを確認するための確認情報を取得する確認情報取得手段と、
前記確認情報取得手段により取得された前記確認情報に基づいて、セットされた前記原稿が前記スキャンジョブを指示した携帯端末装置のユーザーの原稿であるか否かを判定する原稿真偽判定手段と、
前記原稿真偽判定手段により、前記ユーザーの原稿であると判定された場合は、前記ジョブ設定情報に基づいて前記スキャンジョブを実行し、前記ユーザーの原稿でないと判定された場合は、前記ジョブ実行指示を破棄するジョブ実行手段と、
を備えたことを特徴とする画像処理装置。
【請求項２】
前記確認情報取得手段は、前記確認情報として、無線通信手段により携帯端末装置を特定する情報を取得し、
前記原稿真偽判定手段は、前記取得された携帯端末装置を特定する情報と、前記携帯端末装置からのジョブ実行指示に含まれる携帯端末装置を特定する情報とを比較し、一致すれば前記ユーザーの原稿であると判定する請求項１に記載の画像処理装置。
【請求項３】
前記確認情報取得手段は、前記確認情報として、原稿がセットされた時刻を取得し、
前記原稿真偽判定手段は、前記取得された原稿セット時刻と、前記受信手段により受信された前記ジョブ実行指示の受信時刻とを比較し、その時間差が予め設定された時間以内である場合は、前記ユーザーの原稿であると判定する請求項１に記載の画像処理装置。
【請求項４】
前記携帯端末装置の送信手段は、前記原稿に関連する情報を前記画像処理装置に送信し、
前記確認情報取得手段は、前記確認情報として、原稿から読み取られた原稿に関する情報を取得し、
前記原稿真偽判定手段は、前記取得された原稿に関連する情報と、前記携帯端末装置から送信された原稿に関連する情報を比較し、一致する場合は、前記ユーザーの原稿であると判定する請求項１に記載の画像処理装置。
【請求項５】
前記確認情報取得手段は、前記確認情報として、自装置と携帯端末装置との通信が近距離無線通信により行われているか否かについての情報を取得し、
前記原稿真偽判定手段は、自装置と携帯端末装置との通信が近距離無線通信により行われている場合は、前記ユーザーの原稿であると判定する請求項１に記載の画像処理装置。
【請求項６】
前記受信手段により前記携帯端末装置からの前記ジョブ実行指示を受信したときに、前記原稿セット判定手段により原稿が原稿載置部にセットされていないと判定されたときに、原稿待受モードに移行可能か否かを判定する待受モード判定手段と、
前記待受モード判定手段により、原稿待受モードに移行可能と判定された場合は、自装置を原稿待受モードに移行させるモード移行手段と、
をさらに備え、
前記ジョブ実行手段は、前記モード移行手段により移行された原稿待受モード中に、前記原稿が原稿載置部にセットされたときは、前記スキャンジョブを実行する請求項１〜５のいずれかに記載の画像処理装置。
【請求項７】
前記待受モード判定手段は、自装置の表示部にスキャン操作画面が表示されていないときは、原稿待受モードに移行可能と判定する請求項６に記載の画像処理装置。
【請求項８】
前記待受モード判定手段は、自装置と携帯端末装置との通信が近距離無線通信により行われている場合は、原稿待受モードに移行可能と判定する請求項６に記載の画像処理装置。
【請求項９】
前記携帯端末装置の送信手段は、前記原稿に関連する情報を前記画像処理装置に送信し、
前記待受モード判定手段は、前記携帯端末装置から前記原稿に関連する情報が送信されている場合は、原稿待受モードに移行可能と判定する請求項６に記載の画像処理装置。
【請求項１０】
前記原稿に関連する情報は、原稿の１ページ目に含まれている画像データまたはテキストデータである請求項４または９に記載の画像処理装置。
【請求項１１】
前記確認情報取得手段は、前記確認情報として、自装置から一定の範囲内に存在するユーザーの人数についての情報を取得し、
前記原稿真偽判定手段は、前記取得されたユーザーの人数についての情報を解析して、前記範囲内に存在するユーザーが一人のみの場合は前記ユーザーの原稿であると判定する請求項１、６〜９のいずれかに記載の画像処理装置。
【請求項１２】
前記原稿真偽判定手段は、前記範囲内に存在するユーザーが一人のみの場合であって、かつ自装置が使用されていない場合に前記ユーザーの原稿であると判定する請求項１１に記載の画像処理装置。
【請求項１３】
前記確認情報取得手段は、前記確認情報として、前記範囲内に存在する携帯端末装置の数についての情報を取得することによりユーザーの人数についての情報を取得するか、自装置に備えられた、自装置に接近してくるユーザーを検知できる近接センサーの出力に基づいて、ユーザーの人数についての情報を取得する請求項１１または１２に記載の画像処理装置。
【請求項１４】
前記携帯端末装置の数についての情報取得は通信用音データを使用して行われる請求項１３に記載の画像処理装置。
【請求項１５】
前記ジョブ実行手段によるスキャンジョブの実行後は、前記携帯端末装置のユーザーをログアウトさせる請求項１〜１４のいずれかに記載の画像処理装置。
【請求項１６】
自装置にジョブ実行指示を送信したユーザーがパブリックユーザーである場合は、セットされた原稿が前記スキャンジョブを指示した携帯端末装置のユーザーの原稿であるか否かを判定することなく、前記ジョブ実行手段は前記スキャンジョブを実行する請求項１〜１５のいずれかに記載の画像処理装置。
【請求項１７】
スリープモードにおいて、前記携帯端末装置との無線通信により携帯端末装置が自装置から一定の範囲内に存在していることを検知したときは、自装置に備えられた近接センサにより人が自装置に接近しても、前記スリープモードからの復帰を行わない請求項１〜１６のいずれかに記載の画像処理装置。
【請求項１８】
相互に接続可能な画像処理装置と携帯端末装置とを備えたスキャンジョブ実行システムであって、
前記携帯端末装置は、
前記画像処理装置の原稿読み取り手段により原稿を読み取るスキャンジョブについてのジョブ設定画面を表示する表示手段と、
前記ジョブ設定画面で設定されたジョブ設定情報と、前記画像処理装置にログインするためのログイン情報とを含むジョブ実行指示を、前記画像処理装置に送信する送信手段と、
を備え、
前記画像処理装置は、請求項１〜１７のいずれかに記載の画像処理装置であることを特徴とするスキャンジョブ実行システム。
【請求項１９】
相互に接続可能な画像処理装置と携帯端末装置とを備えたスキャンジョブ実行システムで実行されるスキャンジョブ実行方法であって、
前記携帯端末装置は、
前記画像処理装置により原稿を読み取るスキャンジョブについてのジョブ設定画面を表示手段に表示するステップと、
前記ジョブ設定画面で設定されたジョブ設定情報と、前記画像処理装置にログインするためのログイン情報とを含むジョブ実行指示を、前記画像処理装置に送信する送信ステップと、
を実行し、
前記画像処理装置は、
原稿読み取りステップと、
前記原稿読み取りステップにより読み取られる原稿が原稿載置部にセットされているかどうかを判定する原稿セット判定ステップと、
前記携帯端末装置からの前記ジョブ実行指示を受信する受信ステップと、
前記原稿セット判定ステップにより原稿がセットされていると判定された後に、前記原稿が、前記受信手段により受信された前記ジョブ実行指示に含まれる前記ログイン情報に基づいて自装置にログインした前記携帯端末装置のユーザーの原稿かどうかを確認するための確認情報を取得する確認情報取得ステップと、
前記確認情報取得ステップにより取得された前記確認情報に基づいて、セットされた前記原稿が前記スキャンジョブを指示した携帯端末装置のユーザーの原稿であるか否かを判定する原稿真偽判定ステップと、
前記原稿真偽判定ステップにより、前記ユーザーの原稿であると判定された場合は、前記ジョブ設定情報に基づいて前記スキャンジョブを実行し、前記ユーザーの原稿でないと判定された場合は、前記ジョブ実行指示を破棄するジョブ実行ステップと、
を実行することを特徴とするスキャンジョブ実行方法。
【請求項２０】
画像処理装置により原稿を読み取るスキャンジョブについてのジョブ設定画面を表示する表示手段と、前記ジョブ設定画面で設定されたジョブ設定情報及び前記画像処理装置にログインするためのログイン情報を含むジョブ実行指示を、前記画像処理装置に送信する送信手段と、を備えた携帯端末装置と接続可能な前記画像処理装置のコンピュータに、
原稿読み取りステップと、
前記原稿読み取りステップにより読み取られる原稿が原稿載置部にセットされているかどうかを判定する原稿セット判定ステップと、
前記携帯端末装置からの前記ジョブ実行指示を受信する受信ステップと、
前記原稿セット判定ステップにより原稿がセットされていると判定された後に、前記原稿が、前記受信ステップにより受信された前記ジョブ実行指示に含まれる前記ログイン情報に基づいて自装置にログインした前記携帯端末装置のユーザーの原稿かどうかを確認するための確認情報を取得する確認情報取得ステップと、
前記確認情報取得ステップにより取得された前記確認情報に基づいて、セットされた前記原稿が前記スキャンジョブを指示した携帯端末装置のユーザーの原稿であるか否かを判定する原稿真偽判定ステップと、
前記原稿真偽判定ステップにより、前記ユーザーの原稿であると判定された場合は、前記携帯端末装置から送信されたジョブ設定情報に基づいて前記スキャンジョブを実行し、前記ユーザーの原稿でないと判定された場合は、前記ジョブ実行指示を破棄するジョブ実行ステップと、
を実行させるためのスキャンジョブ実行プログラム。
【発明の詳細な説明】
【技術分野】
【０００１】
この発明は、プリンタ機能、ファクシミリ機能、スキャン機能等の機能を備えた多機能デジタル画像形成装置であるＭＦＰ（Multi Function Peripherals）等の画像処理装置と、スマートフォンやタブレット端末等の携帯端末装置を備えたスキャンジョブ実行システム、画像処理装置、同システムで実行されるスキャンジョブ実行方法及びスキャンジョブ実行プログラムに関する。
【背景技術】
【０００２】
画像処理装置と携帯端末装置間の無線通信技術とインターフェース技術の発展により、携帯端末装置から画像処理装置に対して、原稿の読み取りを含むスキャンジョブを始め、各種のジョブの実行を指示することが可能になっている。
【０００３】
ところで、パーソナルコンピュータから画像処理装置にＴＷＡＩＮ（Tool Without An Interesting Name）によってスキャンジョブを送信するときは、画像処理装置がスキャンジョブで占有されてしまい、他のユーザーに迷惑がかかる。また、携帯端末装置を使用して画像処理装置にスキャンジョブを送信する場合に、携帯端末装置で認証を行って画像処理装置の操作パネルでジョブ設定を行う方式においても、画像処理装置が占有されてしまう。さらに、割り込みにより画像処理装置の操作パネルからジョブ設定を行う場合も同様に画像処理装置が占有されてしまう。
【０００４】
そこで、画像処理装置の前でスキャンジョブの設定に時間をかけないように、読み取った原稿の画像データを記憶領域であるボックスに送信して保存するScanToBoxをデフォルト設定しておき、読み取った原稿の画像データをまずボックスに保存し、後からパーソナルコンピュータ等から画像処理装置にアクセスして、ボックスに保存した画像データに対して、画像変換設定や送信先設定を行うことも考えられるが、上位の解像度への変換等の上位の画像変換設定ができないという不都合がある。
【０００５】
そのため、携帯端末装置でスキャンジョブのジョブ設定をしておき、認証情報とジョブ設定を含むスキャンジョブの実行指示を画像処理装置に送信し、画像処理装置はこのジョブ実行指示を受信して認証を行うとともに、認証後直ちに設定された条件で読み取り（スキャン）を開始するのが望ましい。
【０００６】
なお、特許文献１には、画像処理装置と端末装置とが通信ネットワークを介して互いに接続され、複写条件を編集する際の操作性を向上させることができる複写システムであって、第１複写条件編集部が、ユーザの編集操作に基づいて、複写条件を編集し、この複写条件に基づいて、複写処理部が原稿の複写を行い、第１複写条件送信部が、複写の実行に基づいて、複写に用いられた複写条件を端末装置へ送信し、更に、複写条件保持部が、端末装置から受信した複写条件を保持し、複写処理部が、複写条件保持部内の複写条件に基づいて、原稿の複写を行うシステムが開示されている。
【先行技術文献】
【特許文献】
【０００７】
【特許文献１】特開２０１２−２２２７５９号公報
【発明の概要】
【発明が解決しようとする課題】
【０００８】
しかしながら、携帯端末装置からジョブ実行指示を画像処理装置に送信し、画像処理装置が認証成功と同時にスキャンを開始する場合に、認証後直ちに画像処理装置の原稿載置部にセットされた原稿に対してそのままスキャンを開始する構成にすると、次のような問題があった。
【０００９】
すなわち、他のユーザーが画像処理装置でスキャンジョブを実行するために原稿を原稿載置部にセットしてスキャンを開始する前に、携帯端末装置から異なるユーザーのジョブ実行指示が送信され認証が行われると、原稿載置部に既にセットされている他人の原稿がそのまま誤ってスキャンされてしまうという問題があった。
【００１０】
なお、上述の特許文献１に記載の技術は、このような問題に対して解決策を提供しうるものではなかった。
【００１１】
この発明は、このような技術的背景に鑑みてなされたものであって、携帯端末装置から画像処理装置にジョブ実行指示を送信して、画像処理装置にスキャンジョブを実行させる場合に、誤って他人の原稿に対して読み取りが実行されてしまう問題を解決できるスキャンジョブ実行システム及び該システムに用いられる画像処理装置を提供し、さらに前記システムで実行されるスキャンジョブ実行方法及びスキャンジョブ実行プログラムを提供することを課題とする。
【課題を解決するための手段】
【００１２】
上記課題は、以下の手段によって解決される。
（１）画像処理装置の原稿読み取り手段により原稿を読み取るスキャンジョブについてのジョブ設定画面を表示する表示手段と、前記ジョブ設定画面で設定されたジョブ設定情報及び前記画像処理装置にログインするためのログイン情報を含むジョブ実行指示を、前記画像処理装置に送信する送信手段と、を備えた携帯端末装置と接続可能な前記画像処理装置であって、前記原稿読み取り手段と、前記原稿読み取り手段により読み取られる原稿が原稿載置部にセットされているかどうかを判定する原稿セット判定手段と、前記携帯端末装置からの前記ジョブ実行指示を受信する受信手段と、前記原稿セット判定手段により原稿がセットされていると判定された後に、前記原稿が、前記受信手段により受信された前記ジョブ実行指示に含まれる前記ログイン情報に基づいて自装置にログインした前記携帯端末装置のユーザーの原稿かどうかを確認するための確認情報を取得する確認情報取得手段と、前記確認情報取得手段により取得された前記確認情報に基づいて、セットされた前記原稿が前記スキャンジョブを指示した携帯端末装置のユーザーの原稿であるか否かを判定する原稿真偽判定手段と、前記原稿真偽判定手段により、前記ユーザーの原稿であると判定された場合は、前記ジョブ設定情報に基づいて前記スキャンジョブを実行し、前記ユーザーの原稿でないと判定された場合は、前記ジョブ実行指示を破棄するジョブ実行手段と、を備えたことを特徴とする画像処理装置。
（２）前記確認情報取得手段は、前記確認情報として、無線通信手段により携帯端末装置を特定する情報を取得し、前記原稿真偽判定手段は、前記取得された携帯端末装置を特定する情報と、前記携帯端末装置からのジョブ実行指示に含まれる携帯端末装置を特定する情報とを比較し、一致すれば前記ユーザーの原稿であると判定する前項１に記載の画像処理装置。
（３）前記確認情報取得手段は、前記確認情報として、原稿がセットされた時刻を取得し、前記原稿真偽判定手段は、前記取得された原稿セット時刻と、前記受信手段により受信された前記ジョブ実行指示の受信時刻とを比較し、その時間差が予め設定された時間以内である場合は、前記ユーザーの原稿であると判定する前項１に記載の画像処理装置。
（４）前記携帯端末装置の送信手段は、前記原稿に関連する情報を前記画像処理装置に送信し、前記確認情報取得手段は、前記確認情報として、原稿から読み取られた原稿に関する情報を取得し、前記原稿真偽判定手段は、前記取得された原稿に関連する情報と、前記携帯端末装置から送信された原稿に関連する情報を比較し、一致する場合は、前記ユーザーの原稿であると判定する前項１に記載の画像処理装置。
（５）前記確認情報取得手段は、前記確認情報として、自装置と携帯端末装置との通信が近距離無線通信により行われているか否かについての情報を取得し、前記原稿真偽判定手段は、自装置と携帯端末装置との通信が近距離無線通信により行われている場合は、前記ユーザーの原稿であると判定する前項１に記載の画像処理装置。
（６）前記受信手段により前記携帯端末装置からの前記ジョブ実行指示を受信したときに、前記原稿セット判定手段により原稿が原稿載置部にセットされていないと判定されたときに、原稿待受モードに移行可能か否かを判定する待受モード判定手段と、前記待受モード判定手段により、原稿待受モードに移行可能と判定された場合は、自装置を原稿待受モードに移行させるモード移行手段と、をさらに備え、前記ジョブ実行手段は、前記モード移行手段により移行された原稿待受モード中に、前記原稿が原稿載置部にセットされたときは、前記スキャンジョブを実行する前項１〜５のいずれかに記載の画像処理装置。
（７）前記待受モード判定手段は、自装置の表示部にスキャン操作画面が表示されていないときは、原稿待受モードに移行可能と判定する前項６に記載の画像処理装置。
（８）前記待受モード判定手段は、自装置と携帯端末装置との通信が近距離無線通信により行われている場合は、原稿待受モードに移行可能と判定する前項６に記載の画像処理装置。
（９）前記携帯端末装置の送信手段は、前記原稿に関連する情報を前記画像処理装置に送信し、前記待受モード判定手段は、前記携帯端末装置から前記原稿に関連する情報が送信されている場合は、原稿待受モードに移行可能と判定する前項６に記載の画像処理装置。
（１０）前記原稿に関連する情報は、原稿の１ページ目に含まれている画像データまたはテキストデータである前項４または９に記載の画像処理装置。
（１１）前記確認情報取得手段は、前記確認情報として、自装置から一定の範囲内に存在するユーザーの人数についての情報を取得し、前記原稿真偽判定手段は、前記取得されたユーザーの人数についての情報を解析して、前記範囲内に存在するユーザーが一人のみの場合は前記ユーザーの原稿であると判定する前項１、６〜９のいずれかに記載の画像処理装置。
（１２）前記原稿真偽判定手段は、前記範囲内に存在するユーザーが一人のみの場合であって、かつ自装置が使用されていない場合に前記ユーザーの原稿であると判定する前項１１に記載の画像処理装置。
（１３）前記確認情報取得手段は、前記確認情報として、前記範囲内に存在する携帯端末装置の数についての情報を取得することによりユーザーの人数についての情報を取得するか、自装置に備えられた、自装置に接近してくるユーザーを検知できる近接センサーの出力に基づいて、ユーザーの人数についての情報を取得する前項１１または１２に記載の画像処理装置。
（１４）前記携帯端末装置の数についての情報取得は通信用音データを使用して行われる前項１３に記載の画像処理装置。
（１５）前記ジョブ実行手段によるスキャンジョブの実行後は、前記携帯端末装置のユーザーをログアウトさせる前項１〜１４のいずれかに記載の画像処理装置。
（１６）自装置にジョブ実行指示を送信したユーザーがパブリックユーザーである場合は、セットされた原稿が前記スキャンジョブを指示した携帯端末装置のユーザーの原稿であるか否かを判定することなく、前記ジョブ実行手段は前記スキャンジョブを実行する前項１〜１５のいずれかに記載の画像処理装置。
（１７）スリープモードにおいて、前記携帯端末装置との無線通信により携帯端末装置が自装置から一定の範囲内に存在していることを検知したときは、自装置に備えられた近接センサにより人が自装置に接近しても、前記スリープモードからの復帰を行わない前項１〜１６のいずれかに記載の画像処理装置。
（１８）相互に接続可能な画像処理装置と携帯端末装置とを備えたスキャンジョブ実行システムであって、前記携帯端末装置は、前記画像処理装置の原稿読み取り手段により原稿を読み取るスキャンジョブについてのジョブ設定画面を表示する表示手段と、前記ジョブ設定画面で設定されたジョブ設定情報と、前記画像処理装置にログインするためのログイン情報とを含むジョブ実行指示を、前記画像処理装置に送信する送信手段と、を備え、前記画像処理装置は、前項１〜１７のいずれかに記載の画像処理装置であることを特徴とするスキャンジョブ実行システム。
（１９）相互に接続可能な画像処理装置と携帯端末装置とを備えたスキャンジョブ実行システムで実行されるスキャンジョブ実行方法であって、前記携帯端末装置は、前記画像処理装置により原稿を読み取るスキャンジョブについてのジョブ設定画面を表示手段に表示するステップと、前記ジョブ設定画面で設定されたジョブ設定情報と、前記画像処理装置にログインするためのログイン情報とを含むジョブ実行指示を、前記画像処理装置に送信する送信ステップと、を実行し、前記画像処理装置は、原稿読み取りステップと、前記原稿読み取りステップにより読み取られる原稿が原稿載置部にセットされているかどうかを判定する原稿セット判定ステップと、前記携帯端末装置からの前記ジョブ実行指示を受信する受信ステップと、前記原稿セット判定ステップにより原稿がセットされていると判定された後に、前記原稿が、前記受信手段により受信された前記ジョブ実行指示に含まれる前記ログイン情報に基づいて自装置にログインした前記携帯端末装置のユーザーの原稿かどうかを確認するための確認情報を取得する確認情報取得ステップと、前記確認情報取得ステップにより取得された前記確認情報に基づいて、セットされた前記原稿が前記スキャンジョブを指示した携帯端末装置のユーザーの原稿であるか否かを判定する原稿真偽判定ステップと、前記原稿真偽判定ステップにより、前記ユーザーの原稿であると判定された場合は、前記ジョブ設定情報に基づいて前記スキャンジョブを実行し、前記ユーザーの原稿でないと判定された場合は、前記ジョブ実行指示を破棄するジョブ実行ステップと、を実行することを特徴とするスキャンジョブ実行方法。
（２０）画像処理装置により原稿を読み取るスキャンジョブについてのジョブ設定画面を表示する表示手段と、前記ジョブ設定画面で設定されたジョブ設定情報及び前記画像処理装置にログインするためのログイン情報を含むジョブ実行指示を、前記画像処理装置に送信する送信手段と、を備えた携帯端末装置と接続可能な前記画像処理装置のコンピュータに、原稿読み取りステップと、前記原稿読み取りステップにより読み取られる原稿が原稿載置部にセットされているかどうかを判定する原稿セット判定ステップと、前記携帯端末装置からの前記ジョブ実行指示を受信する受信ステップと、前記原稿セット判定ステップにより原稿がセットされていると判定された後に、前記原稿が、前記受信ステップにより受信された前記ジョブ実行指示に含まれる前記ログイン情報に基づいて自装置にログインした前記携帯端末装置のユーザーの原稿かどうかを確認するための確認情報を取得する確認情報取得ステップと、前記確認情報取得ステップにより取得された前記確認情報に基づいて、セットされた前記原稿が前記スキャンジョブを指示した携帯端末装置のユーザーの原稿であるか否かを判定する原稿真偽判定ステップと、前記原稿真偽判定ステップにより、前記ユーザーの原稿であると判定された場合は、前記携帯端末装置から送信されたジョブ設定情報に基づいて前記スキャンジョブを実行し、前記ユーザーの原稿でないと判定された場合は、前記ジョブ実行指示を破棄するジョブ実行ステップと、を実行させるためのスキャンジョブ実行プログラム。
【発明の効果】
【００１３】
前項（１）に記載の発明によれば、携帯端末装置からスキャンジョブのジョブ設定情報と、画像処理装置にログインするためのログイン情報とを含むジョブ実行指示が画像処理装置に送信される。画像処理装置は、原稿読み取り手段により読み取られる原稿が原稿載置部にセットされているかどうかを判定し、セットされていると判定されたときに、原稿が前記ログイン情報に基づいて自装置にログインした前記携帯端末装置のユーザーの原稿かどうかを確認するための確認情報を取得する。この取得された前記確認情報に基づいて、セットされた原稿がスキャンジョブを指示した携帯端末装置のユーザーの原稿であるか否かが判定され、ユーザーの原稿であると判定された場合は、携帯端末装置からのジョブ設定情報に基づいてスキャンジョブが実行され、ユーザーの原稿でないと判定された場合は、ジョブ実行指示は破棄される。
【００１４】
つまり、セットされた原稿がスキャンジョブを指示した携帯端末装置のユーザーの原稿であると判定された場合にのみ、携帯端末装置からのジョブ設定情報に基づいてスキャンジョブが実行されるから、誤って他人の原稿に対して読み取りが実行されてしまう問題を解消することができる。
【００１５】
前項（２）〜（５）に記載の発明によれば、セットされた原稿がスキャンジョブを指示した携帯端末装置のユーザーの原稿であるかどうかを精度良く判定することができる。
【００１６】
前項（６）に記載の発明によれば、前記画像処理装置の受信手段により、前記携帯端末装置からの前記ジョブ実行指示を受信したときに、原稿が原稿載置部にセットされていなければ、原稿待受モードに移行可能か否かが判定され、原稿待受モードに移行可能と判定された場合には、画像処理装置は原稿待受モードに移行し、この移行された原稿待受モード中に、原稿が原稿載置部にセットされたときは、スキャンジョブが実行されるから、第三者の原稿をスキャンするおそれがあるような場合は原稿待受モードに移行しないようにすることで、第三者の原稿を誤ってスキャンする不都合をなくすことができる。
【００１７】
前項（７）〜（９）に記載の発明によれば、第三者の原稿を誤ってスキャンするおそれが少ない場合に、原稿待受モードに移行する。
【００１８】
前項（１０）〜（１４）に記載の発明によれば、セットされた原稿がスキャンジョブを指示した携帯端末装置のユーザーの原稿であるかどうか、または原稿待受モードに移行可能か否かを精度良く判定することができる。
【００１９】
前項（１５）に記載の発明によれば、画像処理装置によるスキャンジョブの実行後は、携帯端末装置のユーザーは自動的にログアウトとなる。
【００２０】
前項（１６）に記載の発明によれば、ジョブ実行指示を送信したユーザーがパブリックユーザーである場合は、セットされた原稿がスキャンジョブを指示した携帯端末装置のユーザーの原稿であるか否かを判定することなく、スキャンジョブが実行される。パブリックユーザーに対するスキャンジョブが許可されている場合は、強固なセキュリティは確保されていないと判断されることから、パブリックユーザーに対する利便性を優先したものである。
【００２１】
前項（１７）に記載の発明によれば、スリープモードにおいて、携帯端末装置との無線通信により携帯端末装置が画像処理装置の近傍に存在していることを検知したときは、画像処理装置に備えられた近接センサにより人が自装置に接近しても、スリープモードからの復帰は行われない。
【００２２】
前項（１８）及び（１９）に記載の発明によれば、セットされた原稿がスキャンジョブを指示した携帯端末装置のユーザーの原稿であると判定された場合にのみ、携帯端末装置からのジョブ設定情報に基づいてスキャンジョブが実行されるから、誤って他人の原稿に対して読み取りが実行されてしまう問題を解消することができる。
【００２３】
前項（２０）に記載の発明によれば、セットされた原稿がスキャンジョブを指示した携帯端末装置のユーザーの原稿であると判定された場合にのみ、携帯端末装置からのジョブ設定情報に基づいてスキャンジョブを実行する処理を、画像処理装置のコンピュータに実行させることができる。
【図面の簡単な説明】
【００２４】
【図１】この発明の一実施形態に係るスキャンジョブ実行システムの構成図である。
【図２】携帯端末装置の構成を示すブロック図である。
【図３】画像処理装置の構成を示すブロック図である。
【図４】画像処理装置の動作を示すフローチャートである。
【図５】図４のステップＳ０２の確認情報取得処理の一例を示すフローチャートである。
【図６】図４のステップＳ０３の原稿真偽判定処理の一例を示すフローチャートである。
【図７】図４のステップＳ０２の確認情報取得処理の他の例を示すフローチャートである。
【図８】図４のステップＳ０３の原稿真偽判定処理の他の例を示すフローチャートである。
【図９】自装置の近傍に存在するユーザーについての説明図である。
【図１０】画像処理装置の動作の他の例を示すフローチャートである。
【発明を実施するための形態】
【００２５】
以下、この発明の実施形態を図面に基づいて説明する。
【００２６】
図１は、この発明の一実施形態に係るスキャンジョブ実行システムの構成図である。
【００２７】
このスキャンジョブ実行システムは、スマートフォンやタブレット端末等からなる携帯端末装置１と画像処理装置２を備え、これらの携帯端末装置１と画像処理装置２は、無線ＬＡＮルータ３、ネットワーク４あるいは近距離無線通信を介して相互に接続可能となされている。符号５はネットワーク４に接続されたパーソナルコンピュータである。
【００２８】
この実施形態では、画像処理装置２としてコピー機能、プリント機能、スキャン機能、ファクシミリ機能等を備えた前述のＭＦＰが用いられている。以下、画像処理装置をＭＦＰとも記す。また、携帯端末装置を携帯端末または単に端末とも記す。
【００２９】
図２は、前記携帯端末１の構成を示すブロック図である。
【００３０】
携帯端末１は、ＣＰＵ１１と、ＲＯＭ１２と、ＲＡＭ１３と、記憶部１４と、表示部１５と、タッチパネル１６と、通信インターフェース（通信ＩＦ）１７と、カメラ１８等を備えている。
【００３１】
前記ＣＰＵ１１は、オペレーティングシステム（単にＯＳともいう）、ＭＦＰ２と接続するためのアプリケーション（単にアプリともいう）、その他各種のアプリ等に基づいて、携帯端末１の全体を統括的に制御する。
【００３２】
前記ＲＯＭ１２は、前記ＣＰＵ１１の動作プログラム等が格納されているメモリであり、ＲＡＭ１３は、前記ＣＰＵ１１が動作プログラムを実行する際の作業領域を提供するメモリである。
【００３３】
前記記憶部１４は、前記ＯＳ、アプリ、ＭＦＰ２にログインするためのログイン情報等を保存するメモリである。
【００３４】
表示部１５は、ウェブページの画像またはカメラ撮影画像等の各種の画像、ユーザーに対する操作画面、メッセージ等を表示したり、ユーザー操作に使用されるものであり、液晶等の表示デバイスにより構成されている。また、タッチパネル１６は表示部１５の画面上に設けられ、ユーザーのジェスチャ操作を含むタッチ操作を検出して、タッチされた座標等を特定するものである。
【００３５】
前記通信インターフェース１７は、電話回線を通じて通話を行ったり、アクセスポイントを介して無線通信によりＭＦＰ２等とデータの送受を行ったり、近距離無線通信によりＭＦＰ２と無線通信を行うためのものである。前記カメラ１８は、各種の被写体を撮影するものである。
【００３６】
図３はＭＦＰ２の構成を示すブロック図である。ＭＦＰ２は、コピー機能、プリンタ機能、スキャン機能、ファクシミリ機能等の複数の機能を有する多機能デジタル画像形成装置である前述のＭＦＰが用いられており、ＣＰＵ２１と、ＲＯＭ２２と、ＲＡＭ２３と、スキャナ部２４と、記憶部２５と、プリンタ部２６と、操作パネル２７と、ネットワークコントローラ（Ｎ１Ｃ）２８と、無線通信部２９と、人検出装置３０等を備えている。
【００３７】
前記ＣＰＵ２１は、ＭＦＰ２の全体を統括制御し、コピー機能、プリンタ機能、スキャン機能、ファクシミリ機能等の基本機能を使用可能に制御する。特にこの実施形態では、原稿載置部にセットされたスキャン用の原稿が、携帯端末１のユーザーの原稿かどうかを判断するための処理や、その判断結果に応じた処理等を行うが、詳細な説明は後述する。
【００３８】
前記ＲＯＭ２２は、ＣＰＵ２１の動作プログラム等を格納するメモリである。
【００３９】
前記ＲＡＭ２３は、ＣＰＵ２１が動作プログラムに基づいて動作する際の作業領域を提供するメモリである。
【００４０】
前記スキャナ部２４は、原稿台（図示せず）や原稿自動搬送装置（ＡＤＦ）等の原稿載置部にセットされた原稿の画像を読み取り、画像データを出力する原稿読み取り手段である。
【００４１】
前記記憶部２５は、例えばハードディスクドライブ（ＨＤＤ）などの不揮発性の記憶デバイスにより構成されており、スキャナ部２４で読み取られた原稿の画像データや、他のＭＦＰあるいはユーザ端末等から送信されてきたデータ、その他のデータが記憶されている。
【００４２】
前記プリンタ部２６は、前記スキャナ部２４で読み取られた原稿の画像データやユーザ端末からのプリントデータ等を、指示されたモードに従って印刷するものである。
【００４３】
前記操作パネル２７は、各種入力操作等のために使用されるものであり、メッセージや操作画面等を表示するタッチパネル式液晶等からなる表示部２７１と、テンキー、スタートキー、ストップキー等を備えたキー入力部２７２を備えている。
【００４４】
前記ネットワークコントローラ２８は、ネットワーク上の他のＭＦＰや、その他の外部機器例えばユーザ端末等との間での通信を制御することにより、データの送受信を行うものである。
【００４５】
前記無線通信部２９は携帯端末１と直接に近距離無線通信を行うためのインターフェースである。
【００４６】
前記人検出装置３０は、ＭＦＰ２に接近してくる人を検出するものであり、人体からの赤外線を検出する１個または複数個の人体検知センサーを備えており、このセンサーの出力に基づいて人の接近を検出する。
【００４７】
次に、図１に示したスキャンジョブ実行システムの動作を説明する。
【００４８】
ユーザーはＭＦＰ１の原稿台や自動原稿搬送装置に原稿をセットしたのち、携帯端末１のＭＦＰ接続用アプリを立ち上げて、ＭＦＰ２と無線接続するとともに、携帯端末１の表示部１５に前記アプリに基づいてスキャンジョブ設定画面を表示させる。
【００４９】
そして、スキャンジョブ設定画面上でカラーまたはモノクロモードの設定、解像度の設定、スキャンされた画像データを送信する場合は送信宛先の設定等を行った後、実行ボタンを押す。すると、ジョブ設定内容を示すジョブ設定情報とユーザー認証のための認証情報、さらには携帯端末１を一意に識別できるマックアドレスや携帯端末の名称等の識別情報を含むスキャンジョブ実行指示がＭＦＰ２に送信される。携帯端末１からＭＦＰ２へのジョブ実行指示の送信は、NFC（Near Field Communication）等の近距離無線通信や、Wi-FiDIRECT等の直接無線通信でＭＦＰ２のWebAPI（Web Application Programming Interface）やSOAP（Simple Object Access Protocol）通信等を用いて行えば良い。
【００５０】
図４は、ＭＦＰ２の動作を示すフローチャートである。この動作は、ＭＦＰ２のＣＰＵ２１がＲＯＭ２２等の記憶媒体に格納された動作プログラムに従って動作することにより実行される。
【００５１】
ステップＳ０１で原稿が原稿台または自動原稿搬送装置にセットされたことを検出すると、ステップＳ０２で、セットされた原稿が自装置にログインした携帯端末１のユーザーの原稿かどうかを確認するための確認情報の取得処理を実施する。確認情報取得処理については後述する。
【００５２】
次に、ステップＳ０３で、携帯端末１からのスキャンジョブの実行指示を受信したかどうかを判断する。受信していなければ（ステップＳ０３でＮＯ）、受信するのを待つ。受信していれば（ステップＳ０３でＹＥＳ）、ジョブ実行指示に含まれているログイン情報に基づいてログインを許可した後、ステップＳ０４で、原稿が携帯端末１のユーザーの原稿かどうかの原稿真偽判定処理を実行したのち、ステップＳ０５に進む。原稿真偽判定処理については後述する。
【００５３】
ステップＳ０５では、原稿真偽判定処理の結果に基づき、原稿が携帯端末１のユーザーの原稿かどうかを判断し、原稿が携帯端末１のユーザーの原稿であれば（ステップＳ０５でＹＥＳ）、ステップＳ０６で、携帯端末１からのジョブ設定情報に基づいて前記原稿のスキャンを開始した後、ステップＳ０７で、得られた画像データを指定された送信先に送信し、ステップＳ０８に進む。原稿が携帯端末１のユーザーの原稿でなければ（ステップＳ０５でＮＯ）、ステップＳ０９で、ジョブ実行指示を破棄した後、ステップＳ０８に進む。ステップＳ０８では携帯端末１からのユーザーをログアウトする。
【００５４】
このように、この実施形態では、セットされた原稿がスキャンジョブを指示した携帯端末１のユーザーの原稿であると判定された場合にのみ、携帯端末１からのジョブ設定情報に基づいてスキャンジョブが実行されるから、誤って他人の原稿に対して読み取りが実行されてしまう問題を解消することができる。
【００５５】
なお、ＭＦＰ２にジョブ実行指示を送信した携帯端末１のユーザーがパブリックユーザーである場合は、セットされた原稿が携帯端末１のユーザーの原稿であるか否かを判定することなく、スキャンジョブを実行しても良い。パブリックユーザーに対するスキャンジョブが許可されている場合は、強固なセキュリティは要求されていないと判断されることから、パブリックユーザーに対する利便性を優先したものである。
【００５６】
図５は、図４のステップＳ０２の確認情報取得処理の一例を示すフローチャートである。
【００５７】
ステップＳ０２０１で、Wi-FiDIRECT等の直接無線通信によりＭＦＰ２の周辺の携帯端末１を検索したのち、ステップＳ０２０２で、１以上の携帯端末１があるかどうかを判断する。携帯端末１があれば（ステップＳ０２０２でＹＥＳ）、ステップＳ０２０３で、ＭＡＣアドレス、携帯端末１の名称等の携帯端末１を一意に識別できる識別情報を、確認情報として取得したのち、ステップＳ０２０４で、取得した識別情報を記憶部２５等に保存し、リターンする。携帯端末１がなければ（ステップＳ０２０２でＮＯ）、ステップＳ０２０５で、識別情報なしを記憶部２５等に保存したのち、リターンする。
【００５８】
図６は、図４のステップＳ０３の原稿真偽判定処理の一例を示すフローチャートである。
【００５９】
ステップＳ０３０１で、記憶部２５等に保存した携帯端末１の識別情報を読み出した後、ステップＳ０３０２で、携帯端末１からのジョブ実行指示に含まれている識別情報と比較する。
【００６０】
ステップＳ０３０３では、読み出した識別情報と携帯端末１からの識別情報が一致するかどうかを判断する。一致した場合は（ステップＳ０３０３でＹＥＳ）、ステップＳ０３０４で、セットされた原稿は端末ユーザーの原稿であると判定したのち、リターンする。一致しなければ（ステップＳ０３０３でＮＯ）、ステップＳ０３０５で、セットされた原稿は端末ユーザーの原稿ではないと判定したのち、リターンする。
【００６１】
なお、識別情報なしが保存されている場合は、一致しないものと判断され、ステップＳ０３０５でセットされた原稿は端末ユーザーの原稿ではないと判定される。
【００６２】
このように、無線通信により携帯端末１を特定する識別情報を取得し、この取得された識別情報と携帯端末１からのジョブ実行指示に含まれる携帯端末装置を特定する識別情報とを比較し、一致すれば携帯端末１のユーザーの原稿であると判定するから、ユーザーの原稿であるかどうかを精度良く判定することができる。
【００６３】
図７は、図４のステップＳ０２の確認情報取得処理の他の例を示すフローチャートである。
【００６４】
ステップＳ０２１１で、原稿がセットされた時刻を確認情報として取得し、ステップＳ０２１２で、取得した時刻を記憶部２５等に保存した後、リターンする。
【００６５】
図８は、図４のステップＳ０３の原稿真偽判定処理の他の例を示すフローチャートである。
【００６６】
ステップＳ０３１１で、記憶部２５等に保存した原稿セットの時刻を読み出した後、ステップＳ０３１２で、携帯端末１からのジョブ実行指示の受信時刻を取得する。
【００６７】
ステップＳ０３１３では、両時刻は予め設定された一定時間内かどうかを判断する。一定時間は、ユーザーが原稿をセットしたのち携帯端末１を操作してジョブ設定を行い、ジョブ実行指示を送信するまでに予測される時間を考慮して設定されている。一定時間内であれば（ステップＳ０３１３でＹＥＳ）、ステップＳ０３１４で、セットされた原稿は端末ユーザーの原稿であると判定したのち、リターンする。一定時間内でなければ（ステップＳ０３０３１ＮＯ）、ステップＳ０３１５で、セットされた原稿は端末ユーザーの原稿ではないと判定したのち、リターンする。
【００６８】
このように、原稿セット時刻とジョブ実行指示の受信時刻とを比較し、その時間差が予め設定された時間以内である場合は、携帯端末１のユーザーの原稿であると判定するから、ユーザーの原稿であるかどうかを精度良く判定することができる。
【００６９】
なお、ステップＳ０２の確認情報取得処理及びステップＳ０３の原稿真偽判定処理は、上述した例に限定されることはない。
【００７０】
例えば、携帯端末１は、原稿に関連する情報として例えば原稿の１ページ目に含まれる画像データや表題などのテキストデータを、ジョブ実行指示と共にＭＦＰ２に送信しておく。なお、画像データはユーザーが携帯端末１で原稿の１ページを予め撮影しておけば良い。一方、ＭＦＰ２はセットされた原稿の１ページのみをスキャンし、読み取られた１ページ目に含まれる画像データやテキストデータを確認情報として取得する。そして、この取得された原稿に関連する情報と、携帯端末１から送信された原稿に関連する情報を比較し、一致する場合は携帯端末１のユーザーの原稿であると判定する構成としても良い。
【００７１】
また、さらに他の例として、ＭＦＰ２は確認情報としてＭＦＰ２と携帯端末１との通信がNFC等の近距離無線通信により行われているか否かについての情報を取得し、近距離無線通信により行われている場合は、原稿をセットしたユーザーがＭＦＰ２の近くにいるものとして、携帯端末１のユーザーの原稿であると判定しても良い。
【００７２】
また、ＭＦＰ２は自装置の近傍に存在するユーザーの人数についての情報を取得し、この取得されたユーザーの人数についての情報を解析して、自装置の近傍に存在するユーザーが一人のみの場合は、ユーザーの原稿であると判定する構成としても良い。つまり、図９に示すように、ＭＦＰ２を操作可能なゾーンＺ２内に複数のユーザーがいても、原稿のセットが可能なゾーン（原稿が置けるゾーン）Ｚ１にユーザーが一人しかいない場合には、ユーザーの原稿であると判定する。また、自装置の近傍に存在するユーザーが一人のみの場合であって、自装置が使用されていない場合に、ユーザーの原稿であると判定する構成としても良い。
【００７３】
なお、ＭＦＰ２は、自装置の近傍に存在する携帯端末１の数を取得することによりユーザーの人数についての情報を取得しても良いし、自装置に接近してくるユーザーを検知できる人検出装置３０の検出結果に基づいて、ユーザーの人数についての情報を取得する構成であっても良い。
【００７４】
ＭＦＰの近傍に存在する携帯端末１の数は、携帯端末１との通信方式で判断し、近距離無線通信方式の場合はＭＦＰの近傍に存在すると判断しても良い。また、ＧＰＳシステムを用いた位置情報により携帯端末１との距離を測定して判断しても良いし、通信用音データを使用して距離を測定し判断しても良い。
【００７５】
なお、ＭＦＰ２は、自装置がスリープモードの場合、携帯端末１との無線通信により携帯端末１が自装置の近傍に存在していることをが検知したときは、人検出装置３０により自装置に接近する人を検知しても、携帯端末１のユーザーの使用を優先するため、スリープモードからの復帰を行わない構成とするのが望ましい。
【００７６】
図１０はＭＦＰ２の動作の他の例を示すフローチャートである。この動作も、ＭＦＰ２のＣＰＵ２１がＲＯＭ２２等の記憶媒体に格納された動作プログラムに従って動作することにより実行される。
【００７７】
ステップＳ１１で、携帯端末１からジョブ実行指示を受信すると、ジョブ実行指示に含まれているログイン情報に基づいてログインを許可した後、ステップＳ１２で、原稿が原稿台または自動原稿搬送装置にセットされたか否かを調べる。セットされていれば（ステップＳ１２でＹＥＳ）、ステップＳ１３で、セットされた原稿が自装置にログインした携帯端末１のユーザーの原稿かどうかを確認するための確認情報の取得処理を実施する。確認情報取得処理は、図４のフローチャートのステップＳ０２で説明した確認情報取得処理と同じである。
【００７８】
次に、ステップＳ１４で、原稿が携帯端末１のユーザーの原稿かどうかの原稿真偽判定処理を実行したのち、ステップＳ１５に進む。原稿真偽判定処理は、図４のフローチャートのステップＳ０４で説明した原稿真偽判定処理と同じである。
【００７９】
ステップＳ１５では、原稿真偽判定処理の結果に基づき、原稿が携帯端末１のユーザーの原稿かどうかを判断し、原稿が携帯端末１のユーザーの原稿であれば（ステップＳ１５でＹＥＳ）、ステップＳ１６で、携帯端末１からのジョブ設定情報に基づいて前記原稿のスキャンを開始した後、ステップＳ１７で、得られた画像データを指定された送信先に送信し、ステップＳ１８に進む。原稿が携帯端末１のユーザーの原稿でなければ（ステップＳ１５でＮＯ）、ステップＳ１９でジョブ実行指示を破棄した後、ステップＳ１８に進む。ステップＳ１８では携帯端末１からのユーザーをログアウトする。
【００８０】
ステップＳ１２で、原稿がセットされていなければ（ステップＳ１２でＮＯ）、ステップＳ２０で、待受モードに移行可能か否かを判定する。待受モードに移行可能であれば（ステップＳ２０でＹＥＳ）、ステップＳ２１で待受モードに移行した後、ステップＳ１２に戻る。従って、この場合は原稿がセットされると、セットされた原稿がユーザーのものと判定されると、スキャンジョブが実行される。一方、待受モードに移行可能でなければ（ステップＳ２０でＮＯ）、ステップＳ１９でジョブ実行指示を破棄した後、ステップＳ１８で携帯端末１からのユーザーをログアウトする。
【００８１】
ステップＳ２０で待受モードへ移行可能と判定される場合の一例として、例えばＭＦＰ２の表示部２７１にスキャン操作画面が表示されていない場合を挙げることができる。表示部２７１にスキャン操作画面が表示されていれば、他のユーザーがスキャン操作中であると考えられることから、他人の原稿を誤ってスキャンしてしまうおそれがあるからである。また、携帯端末１との通信が近距離無線通信により行われている場合は、携帯端末１のユーザーがＭＦＰ２の近くにいると考えられるため、原稿待受モードに移行可能と判定される。また、自装置の近傍に存在するユーザーが一人のみの場合、あるいはさらにＭＦＰ２が使用されていない場合に、携帯端末１のユーザーである可能性が高いことから、原稿待受モードに移行可能と判定される。
【００８２】
また、携帯端末１から、原稿に関連する情報として例えば原稿の１ページ目に含まれる画像データや表題などのテキストデータをＭＦＰ２を受信している場合も、原稿待受モードに移行可能と判定される。
【符号の説明】
【００８３】
１      携帯端末装置
２      画像処理装置
２１    ＣＰＵ
２２    ＲＯＭ
２３    ＲＡＭ
２４    スキャナ部
２５    記憶部
２６    プリンタ部
２７    操作パネル
２９    無線通信部
３０    人検出装置
【図１】
0006455042.tif 000002
【図２】
0006455042.tif 000003
【図３】
0006455042.tif 000004
【図４】
0006455042.tif 000005
【図５】
0006455042.tif 000006
【図６】
0006455042.tif 000007
【図７】
0006455042.tif 000008
【図８】
0006455042.tif 000009
【図９】
0006455042.tif 000010
【図１０】
0006455042.tif 000011